(57)【要約】      （修正有）【課題】空気を分散媒として、空気中の有機物の除去、嫌気性の殺菌できる、人体に安全で環境問題に対応できる界面活性剤及びその製造方法を提供する。【解決手段】非晶質鉄水和化合物のミセル触媒製造方法及び空気を分散媒とする非晶質鉄水和化合物のコロイドの製造方法であり、堆積岩土壌の無機酸抽出物からなるＦｅ（ＯＨ）３を含むミネラル液水溶液のｐＨと濃度の調整により臨界ミセル濃度（ＣＭＣ）見出し、ミセルコロイドを生成して、ミセルコロイド溶液の空中散布により空気を分散媒とするコロイドの製造方法。  また、ｐＨを調整しながらミセルコロイド溶液の濃度を上げることにより、リボゾームコロイドを製造する方法である。【選択図】  図１
2006159169.tif 000002
【特許請求の範囲】
【請求項１】
非晶質鉄水和化合物の臨界ミセル濃度の発見方法とミセル触媒の製造方法。
【請求項２】
非晶質水和化合物のコロイドの空中散布により空気を分散媒とするコロイド触媒の製造方法。
【請求項３】
非晶質鉄水和化合物のリボゾームコロイド触媒の製造方法。
【発明の詳細な説明】
【技術分野】
【０００１】  本発明は非晶質鉄水和化合物（５ＦｅＯ２Ｏ３・ｎＨ２Ｏ）のミセル触媒の製造方法に関するものである。［背景技術］【０００２】  私どもの開発したフェリハイドライト腐食複合体（再公表特許文献１参照）の製造過程で生成されるフェリハイドライト様物質は比表面積が大きく、凝集体を形成する能力が高い特性がある。しかも有機化合物のカルボニル基やカルボキシル基のＯＨ端、Ｏ端と配位結合する性質があり、凝集体を形成し懸濁液の物理的清澄化に効果のあることにヒントを見出したのです。［再公表特許文献１］  国際公開番号ＷＯ２００２／０７９４８３［発明の開示］［発明が解決しようとする課題］【０００３】  従来の吸着技術は、活性炭やシリカゲルの比表面積が大きいことで、有機物や水の吸着に始まり界面活性の研究、しいてはコロイド化学にいたり研究開発が進んできていますが、空気を分散媒として、空気中の有機物の除去、嫌気性菌の殺菌できる界面活性剤の開発が少なく、しかも人体に安全で環境問題に対応できる界面活性剤の開発が望まれています。［課題を解決しようとする手段］【０００４】本発明は堆積岩土壌の無機酸抽出物の水溶液（以下Ｐ液とする）中のＦｅ（ＯＨ）３を材料とする非晶質鉄水和化合物（５ＦｅＯ２Ｏ３・ｎＨ２Ｏ）［以下フェリック複合体と呼ぶ］を超音波式の噴霧器を使い、空気中に噴霧することにより空気を分散媒としたフェリック複合体のコロイドを形成する。フェリック複合体は、比表面積が２００（ｍ２／ｇ）と大きいため空気中の浮遊物、とくにカルボキシル基やカルボニル基のＯ端と配位結合する性質があり空気中においても有機物を吸着して凝集体を形成する。また比表面積が大きいということは化学反応の場を提供する触媒としての能力が大きいことを示唆しており、いくつかの研究では有機物の酸化重合や窒素酸化物の分解促進に効果があることが認められている。  以上の実験データーは（図１に示す）【０００５】  本発明は、上記の空気を分散媒とするフェリック複合体のミセル触媒化が大きな特徴です。Ｐ液はｐＨの変化により（図２）に示すように価数の異なる鉄化合物に変化します。ｐＨの急激な変化を利用すると、より結晶化度の低いフェリック複合体が生成され、効率よいコロイド粒子が形成されます。【０００６】  また、このフェリック複合体は、ｐＨと濃度バランスにより、ミセルを形成する。フェリック複合体はｐＨ４．５から生成が始まりｐＨ７でＭＡＸに至る。しかしＰ液の濃度が低いとミセルの生成は起こらない。Ｐ液濃度が５００倍（ｐＨ３．５）をアルカリイオン水（ｐＨ１３．５）で希釈して２倍濃度にＰ液を（ｐＨ６．５）に調整した数値が本発明のミセル触媒の製造のポイントである。（※注：ｐＨ調整にアルカリ金属、アルカリ土類金属の水酸化物を使用すると電子親和力の格差によりフェリック複合体の結晶化が阻害され理想的なミセル触媒は生成されない。）【０００７】  生成したフェリック複合体のミセル溶液を噴霧することで、空気を分散媒とするフェリック複合体のミセルコロイドが製造される。さらにｐＨの調整をしながら濃度を更に上げることによりリボゾームも製造される。このリボゾームは水分を分子で囲み込んでいる状態であり、ゲル状の物質となり、有��な触媒としての利用が可能である。本発明は、空気を分散媒とするコロイド触媒の製造を目的で開発しましたが、ミセル触媒、リボゾーム触媒の利用は本発明の趣旨の範囲内で改変することができるものである。［発明の実施するための最良の形態］【０００８】  本発明は、ミネラル液として、玄武岩、安山岩の堆積岩に無機酸を添加して抽出した天然由来のイオン化ミネラル濃縮液を用いる。本発明書では、このイオン化ミネラル濃縮液を、ミネラル液またはＰ液と称する。ミネラル液は、玄武岩、安山岩の堆積土壌（粘土）に、濃度１０〜２０重量％の硫酸水溶液を添加して酸可溶成分を抽出したものである。本実施形態のミネラル液は、鉄（Ｆｅ）を主成構成分として、その他マンガン（Ｍｎ）、マグネシウム（Ｍｇ）、カルシウム（Ｃａ）等のカチオンも含む。ただしカルシウム量及びマグネシウム量の和は、ミネラル液に含有される鉄の量の３０重量％未満である。本実施形態のミネラル液は、鉄を７，０００〜１３，０００（ｐｐｍ）程度含み、ｐＨは約０．２７である。また、本実施形態のミネラル液に含まれる高分子の径は３〜５（ｎｍ）程度である。［実施例１］【０００９】  使用ミネラル液に含まれる鉄は、ｐＨによって異なる形態で存在する。（図２）目的の非晶質鉄水和化合物の複合体の材料となるのは、Ｆｅ（ＯＨ）３でありこの形態は、ｐＨ５前後で形成が始まる。ｐＨ５前後よりｐＨ７前後まで急激なｐＨを変化させるときわめて結晶化度の低いフェリック複合体が生成される。５００倍に希釈したＰ液に約ｐＨ１３．５のアルカリイオン水を加えてｐＨ６からｐＨ７に調整する。ｐＨの変化に伴う色の変化と散乱光の強さでコロイドの粒子の変化は、確認できる。粒子のＭＡＸは、Ｐ液１０００倍、ｐＨ６．５〜ｐＨ７である。ミセルは前記の濃度とｐＨで生成される。また、ＣＭＣは、導電率法での臨海ミセル濃度曲線とｐＨ変化直線の交点になることが発見できた。前記実施により、空中散布用のコロイドが完成する。（以下Ｐコロイド溶液と呼ぶ）次にこの調整後Ｐコロイド溶液を超音波式の噴霧器で空中散布することで、空気を分散媒とするフェリック複合体のコロイドができる。このコロイド粒子は、空気中にある浮遊物と接触することにより吸着、凝集をおこします。比表面積が大きいため空気中の浮遊物、特にカルボキシル基やカルボニル基のＯ端と配位結合する性質があり空気中においても有機物を吸着して凝集体を形成する。また比表面積が大きいということは化学反応の場を提供する触媒としての能力が大きいことを示唆しておりいくつかの研究では有機物の酸化重合や窒素酸化物の分解促進に効果があることが認められている。また人体にも安全なうえ、環境対策にも十分対応できるこのコロイドは、多方面への利用が可能である。本実施形態におけるコロイドの吸着シュミレーション図（煙草の煙の粒子吸着）を（図３）に添付する。［実施例２］【００１０】本発明の、Ｐ液を、水溶液中でｐＨ調整しながら濃度をあげると、ミセルを形成、さらに濃度をあげることによりリボゾームを形成する。［このリボゾームを以下新フェリック複合体と呼ぶ。］  新フェリンク複合体の生成後、水分を気化するとゲル化した高分子のコロイドが製造できる。この新フェリック��合体は、上記のフェリック複合体よりさらに比表面積が高いため触媒としての能力がより大きい。有機物の酸化重合や窒素酸化物の分解促進にも効果があり、人体にも安全なうえ環境浄化に最適な組成のため、広範囲の利用が可能となる。【００１１】  またエチレンガスや二酸化炭素等の気体吸着力が高く接着剤の添加物として利用することにより、シックハウスの原因になるアンモニア、メチルカプタン、トリメチルアミン、ホルムアルデヒド等の吸着、分解が可能である。新フェリック複合体は有機物のカルボキシル基やカルボニル基のＯ端と配位結合する性質があり有機系ガスを吸着して、凝集体を形成する。比表面積が大きく化学反応の場を提供する触媒としての能力が高いうえ、環境対策として有効な組成のためエコロジ−分野を視野に置いた触媒としての利用は今後の研究課題である。
【図面の簡単な説明】
【００１２】
【図１】消臭力試験報告書
【図２】Ｐ液の主成分である鉄のｐＨによる変移
【図３】コロイドの吸着シュミレ?ション図（煙草の煙の粒子吸着）
【図１】
2006159169.tif 000003
【図２】
2006159169.tif 000004
【図３】
2006159169.tif 000005